(57)【要約】【課題】シートを処置する機械にシートを案内する方法を改良して、シート流のシートの間の付着力を効果的に低減できるようにする。【解決手段】うろこ状にずれ重ねされたシート流で連続する２つのシートの間の付着力を、最初のシートのシート後縁を持ち上げて低減させる。【選択図】図４
2004277180.tif 000002
【特許請求の範囲】
【請求項１】
シートを処置する機械にシートを案内する方法において、
うろこ状にずれ重ねされたシート流で連続する２つのシートの間の付着力を、最初のシートのシート後縁を持ち上げて低減させることを特徴とする、シートを処置する機械にシートを案内する方法。
【請求項２】
持ち上げられるシート後縁を、下側後方からブローする、請求項１記載の方法。
【請求項３】
先ず最初のシートを、シート後縁を持ち上げる前に、シート搬送方向で方向調整する、請求項１または２記載の方法。
【請求項４】
シート後縁の持ち上げと同時に、またはシート後縁の持ち上げ後に、シートを横方向調整する、請求項３記載の方法。
【請求項５】
うろこ状にずれ重ねされたシート流で連続する２つのシートの間の付着力を、最初のシートのシート後縁を持ち上げて低減させて、シートを処置する機械にシートを案内する方法を実施する装置において、
うろこ状シート流の上方に、シート後縁を持ち上げる装置が配置されていることを特徴とする、シートを処理する機械にシートを搬送する装置。
【請求項６】
持ち上げ装置（３２）が、前縁方向調整手段（２７）を起点として処理しようとするシート長さの間隔を有して配置されている、請求項５記載の装置。
【請求項７】
持ち上げ装置（３２）が、シート搬送方向で、処理しようとするシートサイズ（ｌ）に関して調節可能である、請求項６記載の装置。
【請求項８】
持ち上げ装置（３２）が、少なくとも１つのノズル（３３）を備えている、請求項５から７までのいずれか１項記載の装置。
【請求項９】
ノズル（３３）が、うろこ状シート流の表面に対して正接方向に向けられている、請求項８記載の装置。
【請求項１０】
ノズル（３３）が、シート搬送方向に向けられている、請求項９記載の装置。
【請求項１１】
ノズル（３３）が、ブロー−サクション−ノズルとして形成されていて、かつブロー空気で負荷可能である、請求項１０記載の装置。
【請求項１２】
ノズル（３３）が、吸込グリッパとして形成されていて、かつサクション空気で負荷可能である、請求項１１記載の装置。
【請求項１３】
前記ノズル（３３）に対して追加的に、自由噴流ノズル（３４）が設けられており、該自由噴流ノズル（３４）が、シート搬送方向で斜め上方からうろこ状シート流に向けられている、請求項５から１０までのいずれか１項記載の装置。
【請求項１４】
ブロー−サクション−ノズル（３３）もしくは吸込ノズルおよび／または自由噴流ノズル（３４）が、シートを処理する機械（１）のサイクルで作動可能である、請求項５から１３までのいずれか１項記載の装置。
【請求項１５】
印刷機であって、シート給紙装置（２）と、うろこ状シート流を形成するための持ち上げ装置（１８）とが設けられている形式のものにおいて、
うろこ状シート流の上方に、追加的な持ち上げ装置（３２）が配置されていることを特徴とする、印刷機。
【発明の詳細な説明】
【技術分野】
【０００１】
本発明は、シートを処理する機械、特に印刷機にシートを案内する方法および装置に関する。
【背景技術】
【０００２】
特に平滑な表面を有するシート、たとえばコーテッドペーパー、コーティングされたシートまたは箔を処理する際に、うろこ状ずれ重ねシート流のシートが付着力によって互いに付着し合うという問題が生じる。最初に方向調整されるシートを引き離す際に、２番目のシートが連行され、うろこ状シート流を共通移動して最初のシートを方向調整する際に第２のシートが最初のシートと共にずらされ、これによって搬送エラーが生じて、シートを処理する機械が停止する。
【０００３】
ドイツ連邦共和国特許第４４１３０８９号明細書では、連続する２つのシートの間の付着力を低減させるために、シート流に連続的に下側からブロー空気を送るようになっている。しかしながらシート流の下方のブロー空気はシートの一定の案内を阻害する。
【特許文献１】ドイツ連邦共和国特許第４４１３０８９号明細書
【発明の開示】
【発明が解決しようとする課題】
【０００４】
したがって本発明の課題は、冒頭で述べたような形式の、シートを処理する機械、特に印刷機にシートを案内する方法および装置を改良して、シート流のシートの間の付着力を効果的に低減することである。
【課題を解決するための手段】
【０００５】
この課題を解決するための本発明の方法によれば、うろこ状にずれ重ねされたシート流で連続する２つのシートの間の付着力を、最初のシートのシート後縁を持ち上げて低減させる。
【０００６】
またこの課題を解決するための本発明の装置によれば、うろこ状シート流の上方に、シート後縁を持ち上げる装置が配置されている。
【発明の効果】
【０００７】
本発明の格別な利点によれば、上下に重ねられるかもしくは連続するシートの間の付着力の解消が分離手段によってもたらされる。この分離手段は上方からうろこ状シート流に作用する。このような手段によって、所望の形式でうろこ状シート流の特定領域でシート分離を行うことができ、このシート流領域では残りのうろこ状シート流が影響されないまま存在する。
【０００８】
持ち上げ装置をブロー−サクション−ノズルとして形成することによって、シート後縁は、前当てに当接して初めて持ち上げるのではなく、まだ運動状態で既に持ち上げることができる。シートの横方向調整もまた不都合な影響なしに行うことができる。
【０００９】
有利な実施形態によれば、追加的な自由噴流ノズルが、最初のシートの（持ち上げられた）シート後縁と後続のシート表面との間にブロー空気を送る。
【００１０】
シート持ち上げ装置の下面に設けられた段部は、ブロー−サクション−ノズルのシート搬送方向下流側で僅かな間隔を有して配置されていて、かつ第２のシートが付着力によって一緒に持ち上げられる場合にシートの分離を助成する。
【００１１】
搬送方向で配置されたリニアガイドは、処理しようとするシートサイズに関する本発明のシート案内装置の調節を実現する。
【発明を実施するための最良の形態】
【００１２】
次に本発明の実施の形態を図示の実施例を用いて詳しく説明する。
【００１３】
シート７を処理する機械、たとえば印刷機１は、給紙装置２と少なくとも１つの印刷装置３；４と排紙装置６とを備えている。シート７は、シートスタック（パイル）８から取り出されて個別化されるかまたはうろこ状にずれ重ねされて給紙台９を介して印刷装置３；４に供給される。印刷装置３；４は、公知の形式で、それぞれ１つの版胴１１；１２を備えている。版胴１１；１２は、フレキシブルな版板を固定するためのそれぞれ１つの装置１３；１４を備えている。さらに各版胴１１；１２には、全自動または半自動式に版板を交換するための装置１６；１７が対応配置されている。
【００１４】
シートスタック８は、昇降制御可能なスタックプレート１０に載設されている。シート７の取り出しは、持ち上げ装置としてのいわゆる吸込ヘッド１８を用いてシートスタック８の上面から行われ、この吸込ヘッド１８はとりわけシート７を個別化するための幾つかの昇降サッカ１９および送りサッカ２１を備えている。さらに上位のシート層をほぐすための送風装置２２と、スタック後ガイドのための接触エレメント２３とが設けられている。シートスタック８、特にシートスタック８の上位のシート７を方向調整するために、側方および後方の幾つかのストッパが設けられている。
【００１５】
給紙台９は、前方の方向調整マーク、いわゆる前当て２７にシートもしくはシート流を搬送するために、少なくとも１つの搬送ベルト２６、有利には吸込ベルトを備えている。また給紙台９の前位領域に横方向調整装置２８が配置されている。方向調整されたシート７は、前グリッパ２９によって把持されて供給ドラム３１に供給される。
【００１６】
うろこ状のシート流の上方には、ほぼ前当て２７を起点として処理しようとするサイズ（判）長さｌの間隔を有してシート持ち上げ装置３２が配置されている。このシート持ち上げ装置３２は、主に少なくとも１つのブロー−サクション−ノズル３３、有利にはシート流のサイズ幅にわたって相並んで分配された幾つかのブロー−サクション−ノズル３３を備えている。ブロー−サクション−ノズル３３は、シート搬送方向に向けられたブロー空気噴流がシート流の上方で僅かな間隔ａ（たとえばａ＝約４ミリメートル）を有して実質的に（シート流に対して）正接方向で（tangential）シート流に吹き出されるように方向調整されている。いわゆる「エアロダイナミックパラドックス（aerodynamisches Paradoxon)」効果を利用することによって、シート後縁は持ち上げられ、したがってこのシート後縁の下方に位置する後続のシートから分離される。
【００１７】
この分離効果を助成するために、少なくとも１つの自由噴流ノズル３４、有利には相並んで配置された複数の自由噴流ノズル３４が設けられており、自由噴流ノズルのブロー空気噴流は、斜め上方からシート後縁に向けられているので、ブロー空気噴流は、前位のシートの下面と後続の下位のシートの上面との間に入り込むことができる。全ての自由噴流ノズル４は、シート搬送方向に対して横向きに調節可能に配置されていて、かつ所望の位置でロック可能である。持ち上げ装置３２の下面における小さな段部３６は、シート搬送方向でみてブロー−サクション−ノズル３３の上流側で小さな間隔ｂ（たとえばｂ＝約２ミリメートル）を有して位置している。このような構成手段は、後位のシートがたとえば静力学つまり付着力によって（前位のシートと）共に持ち上げられる場合に、連続する２つのシートの分離を助成する。
【００１８】
持ち上げ装置３２を、処理しようとするシートサイズ長さｌに関して調節するために、給紙台９の片側にリニアガイド３７が設けられており、このリニアガイド３７に沿って持ち上げ装置３２が移動可能に支承されている。
【００１９】
持ち上げ装置３２の内部に設けられた吸気通路３８は、ブロー−サクション−ノズル３３および自由噴流ノズル３４にブロー空気を図示していないブロー空気源から供給する。ブロー空気は連続的に流出する。別の実施例では、シートを処理する機械のサイクルでブロー空気をタイミング制御するようになっている。このために回転弁もしくは電磁制御可能な弁が使用される。
【００２０】
選択的にブロー−サクション−ノズル３３を吸込グリッパとして形成し、ブロー空気の代わりにサクション空気で負荷し、これに対して自由噴流ノズル３４には引き続きブロー空気が供給されるようにすることができる。
【００２１】
シート７は、吸込ヘッド１８によってシートスタック８から個別化されて、うろこ状にずれ重ねされて搬送ベルト２６によって前当て２７に供給される。シート長さ間隔ｌだけ前当て２７から上流側でシート流の上方に配置されたシート持ち上げ装置３２によって、シート流のそれぞれ最初のシート７のシート後縁が持ち上げられて自由噴流ノズル３４の自由噴流によって下側からブローされる。
【００２２】
有利にはシート後縁の持ち上げは、シート後縁が前当てに到達すると直ちに行われる。このような構成手段によって、最初の前位のシートは、前当てに到達したあとで、またはこれと同時に、２番目の後位のシートを連行することなしに、横方向調整することができる。
【図面の簡単な説明】
【００２３】
【図１】シートを処理する印刷機を概略的に示す断面図である。
【００２４】
【図２】シート給紙装置の給紙台を概略的に示す断面図である。
【００２５】
【図３】本発明の持ち上げ装置を、搬送平面に向かって上からみた平面図である。
【００２６】
【図４】本発明の持ち上げ装置の側面図である。
【符号の説明】
【００２７】
１  印刷機、  ２  給紙装置、  ３，４  印刷装置、  ６  排紙装置、  ７  シート、  ８  シートスタック、  ９  給紙台、  １０  スタックプレート、  １１，１２  版胴、  １３，１４  版板固定装置、  １６，１７  版板交換装置、  １８  吸込ヘッド、  １９  昇降サッカ、  ２１  送りサッカ、  ２２  送風装置、  ２３  接触エレメント、  ２４  ストッパ、  ２６  搬送ベルト、  ２７  前当て、  ２８  横方向調整装置、  ２９  前グリッパ、  ３１  供給ドラム、  ３２  シート持ち上げ装置、  ３３  ブロー−サクション−ノズル、  ３４  自由噴流ノズル、  ３６  段部、  ３７  リニアガイド、  ３８  吸気通路、  ａ  間隔、  ｂ  間隔、  ｌ  シートサイズ長さ
【図１】
2004277180.tif 000003
【図２】
2004277180.tif 000004
【図３】
2004277180.tif 000005
【図４】
2004277180.tif 000006